(57)【要約】【課題】加湿状況を視覚によりアピールすることができる空気清浄器を提供する。【解決手段】空気を清浄化する空気清浄器１において、空気を取り入れる吸気口２１と、空気を排気する排気口２２と、吸気口２１から排気口２２にかけて空気清浄器１の本体２の内部に形成される空気流路２４と、空気流路２４を流れる空気を加湿する加湿手段３０と、液体を貯蔵可能に設けられた受けタンクと、液体からミストを発生させ、目視可能なミストを外部に吹き出すミスト供給手段とを備え、排気口２２内に、ミストを外部に吹き出すノズル５５の吹出口５５Ｆを設け、排気口２２からミストを外部に吹き出す。これにより加湿フィルタ３１により加湿された加湿空気が排気口２２から排気され、この加湿空気が視認できなくても、同時に排気口２２から視認可能なミストを吹き出すことにより、ミストが水蒸気のように確認され、加湿中であることを視覚的に知らせることができる。【選択図】図１
0003214558.tif 000002
【実用新案登録請求の範囲】
【請求項１】
空気を清浄化する空気清浄器において、前記空気を取り入れる吸気口と、前記空気を排気する排気口と、前記吸気口から前記排気口にかけて前記空気清浄器の本体の内部に形成された空気流路と、前記空気流路を流れる空気を加湿する加湿手段と、液体を貯蔵可能に設けられた液体タンクと、前記液体からミストを発生させ、目視可能な前記ミストを外部に吹き出すミスト供給手段とを備え、
前記排気口から前記ミストを外部に吹き出すことを特徴とする空気清浄器。
【請求項２】
前記排気口内に、前記ミストを外部に吹き出すノズルの吹出口を設けたことを特徴とする請求項１記載の空気清浄器。
【請求項３】
前記本体内に、前記吸気口からを取り入れた空気を前記排気口から排気する送風手段を設け、前記加湿手段は、水を溜める水溜め部と、この水溜め部内の水が供給され、前記空気流路の途中に設けた加湿フィルタとを備えることを特徴とする請求項２記載の空気清浄器。
【請求項４】
前記ミスト供給手段は、前記液体をミストにする超音波振動子と、前記超音波振動子により発生した前記ミストが流れるミスト流路を備え、このミスト流路を前記ノズルに接続すると共に、前記ミスト流路が前記空気流路とは別個に設けられていることを特徴とする請求項３記載の空気清浄器。
【請求項５】
前記ミスト供給手段は複数の超音波振動子を備え、これら複数の超音波振動子が選択的に駆動可能なことを特徴とする請求項４記載の空気清浄器。
【請求項６】
前記加湿フィルタの前記空気流路の上流で該加湿フィルタに対向してオゾンを発生する殺菌手段を設けたことを特徴とする請求項３〜５のいずれか１項に記載の空気清浄器。
【請求項７】
前記吸気口側に集塵フィルタを設け、この集塵フィルタと前記加湿フィルタの間の前記空気流路に前記送風手段を配置したことを特徴とする請求項６記載の空気清浄器。
【請求項８】
前記本体の外面に前記排気口を開口して形成し、前記排気口は左右方向が幅方向より長く形成され、前記ノズルの前記吹出口は、前記左右方向が幅方向より長く形成されると共に、前記排気口の前記左右方向の長さの０．２〜０．４５倍の長さを有し、前記ノズルの吹出口は前記排気口より幅狭に形成され、前記排気口内の左右方向中央に前記ノズルの吹出口が設けられ、前記ノズルは上板部と下板部と左右の側板部との間に前記吹出口を有し、前記排気口の上流で前記外面に連続する空気流路の上面部は、前記排気口に向かって斜め上向きに形成され、前記空気流路の前記上面部に沿って前記ノズルの前記上板部を配置し、前記ノズルの前記下板部の水平に対する角度が前記ノズルの前記上板部の水平に対する角度より大きいことを特徴とする請求項６又は７記載の空気清浄器。
【考案の詳細な説明】
【技術分野】
【０００１】
本考案は、加湿機能を備えた空気清浄器に関する。
【背景技術】
【０００２】
従来の空気清浄器として、超音波振動子により発生した次亜塩素酸水溶液の微粒子を、広範囲に搬送する搬送流の一部を風量調整可能な取入れ口から微粒子発生部へ送風することにより、微粒子をこの送風による気流にのせて噴霧口から放出するとともに、前記噴霧口とは別に該噴霧口の直下に設けられた搬送流噴射口から搬送流を噴射し、前記噴霧口から放出される微粒子を前記噴射口から噴射される搬送流にのせて広範囲に拡散させる殺菌装置（例えば特許文献１）があり、この殺菌装置では、微粒子を放出する噴霧口の斜め下方で、離れた位置に噴射口が配置されている。
【０００３】
また、ケーシングに内蔵されたオゾン発生用ランプと、該オゾン発生用ランプによって発生したオゾンと外部空中にて混合するように殺菌剤を外部空中へ霧状に噴出する薬品噴霧手段と、を備えた空気清浄装置（例えば特許文献２）があり、この空気清浄装置では、清浄化した空気を上部の排気口から排気すると共に、この排気口から離れた下方に配置したノズル部から殺菌液を霧状に噴出する。
【先行技術文献】
【特許文献】
【０００４】
【特許文献１】特開２００３−１６９８４２号公報
【特許文献２】特開平１０−７１１９２号公報
【考案の開示】
【考案が解決しようとする課題】
【０００５】
上記殺菌装置では、次亜塩素酸水溶液の微粒子により殺菌と共に加湿を行うことができるが、加湿効果を高めるためには、噴射口からも加湿空気を噴射することが好ましく、同様に、上記空気清浄装置でも、加湿効果を高めるためには、排気口からも加湿空気を排気することが好ましい。
【０００６】
ところで、加湿空気を形成する加湿器では、主として水を含んだ加湿フィルタに空気を当てる方式と、水を加熱して蒸気を形成する方式があるが、加熱方式では雑菌が繁殖し易いという問題がある。一方、上記特許文献１の殺菌装置のように超音波振動子によりミストを発生させる方法もあるが、コストが掛かる面がある。
【０００７】
しかし、加湿フィルタに空気を当てる方式では、吹き出す加熱空気は霧状にはならず、加湿状況を目視することができない。また、上記従来技術に、加湿フィルタによる加湿機能を付与したとしても、加湿空気の出る噴射口及び排気口の位置と、微粒子及び霧の噴射位置が異なるため、噴射口及び排気口から出る加湿空気を視認することができず、加湿状況を視覚によりアピールすることができない。
【０００８】
そこで、本考案は、上記問題点を解決するものであり、加湿状況を視覚によりアピールすることができる空気清浄器を提供することを目的とし、加えて、ミストを遠くに飛ばすことができる空気清浄器を提供することを目的とする。
【課題を解決するための手段】
【０００９】
請求項１の考案は、空気を清浄化する空気清浄器において、前記空気を取り入れる吸気口と、前記空気を排気する排気口と、前記吸気口から前記排気口にかけて前記空気清浄器の本体の内部に形成された空気流路と、前記空気流路を流れる空気を加湿する加湿手段と、液体を貯蔵可能に設けられた液体タンクと、前記液体からミストを発生させ、目視可能な前記ミストを外部に吹き出すミスト供給手段とを備え、前記排気口から前記ミストを外部に吹き出すことを特徴とする。
【００１０】
請求項２の考案は、前記排気口内に、前記ミストを外部に吹き出すノズルの吹出口を設けたことを特徴とする。
【００１１】
請求項３の考案は、前記本体内に、前記吸気口からを取り入れた空気を前記排気口から排気する送風手段を設け、前記加湿手段は、水を溜める水溜め部と、この水溜め部内の水が供給され、前記空気流路の途中に設けた加湿フィルタとを備えることを特徴とする。
【００１２】
請求項４の考案は、前記ミスト供給手段は、前記液体をミストにする超音波振動子と、前記超音波振動子により発生した前記ミストが流れるミスト流路を備え、このミスト流路を前記ノズルに接続すると共に、前記ミスト流路が前記空気流路とは別個に設けられていることを特徴とする。
【００１３】
請求項５の考案は、前記ミスト供給手段は複数の超音波振動子を備え、これら複数の超音波振動子が選択的に駆動可能なことを特徴とする。
【００１４】
請求項６の考案は、前記加湿フィルタの前記空気流路の上流で該加湿フィルタに対向してオゾンを発生する殺菌手段を設けたことを特徴とする。
【００１５】
請求項７の考案は、前記吸気口側に集塵フィルタを設け、この集塵フィルタと前記加湿フィルタの間の前記空気流路に前記送風手段を配置したことを特徴とする。
【００１６】
請求項８の考案は、前記本体の外面に前記排気口を開口して形成し、前記排気口は左右方向が幅方向より長く形成され、前記ノズルの前記吹出口は、前記左右方向が幅方向より長く形成されると共に、前記排気口の前記左右方向の長さの０．２〜０．４５倍の長さを有し、前記ノズルの吹出口は前記排気口より幅狭に形成され、前記排気口内の左右方向中央に前記ノズルの吹出口が設けられ、前記ノズルは上板部と下板部と左右の側板部との間に前記吹出口を有し、前記排気口の上流で前記外面に連続する空気流路の上面部は、前記排気口に向かって斜め上向きに形成され、前記空気流路の前記上面部に沿って前記ノズルの前記上板部を配置し、前記ノズルの前記下板部の水平に対する角度が前記ノズルの前記上板部の水平に対する角度より大きいことを特徴とする。
【考案の効果】
【００１７】
請求項１の構成によれば、加湿手段により加湿された加湿空気が排気口から排気され、この加湿空気が視認できなくても、同時に排気口からミストを吹き出すことにより、ミストが水蒸気のように視認され、加湿中であることを視覚的に知らせることができる。
【００１８】
請求項２の構成によれば、排気口からミストが吹き出すことが視認される。
【００１９】
請求項３の構成によれば、送風手段により吸気口から取り込んだ空気が空気流路を流れ、この空気流路の途中に設けた加湿フィルタに空気が当たることにより、加湿空気が形成される。このため加湿することなく加湿空気を得ることができ、その加湿空気は霧状には視認されないが、排気口からミストが吹き出し、加湿中であることを視覚的にアピールすることができる。
【００２０】
請求項４の構成によれば、加湿のために液体を加熱する必要がなく、超音波振動子によりミストを発生させることができ、しかも、空気流路と別個のミスト流路を通ってノズルからミストを吹き出すため、途中で加湿空気と混ざって薄まることなく、視認性に優れたミストとして吹き出すことができる。
【００２１】
請求項５の構成によれば、超音波振動子によりミストを発生させることができ、しかも、駆動する超音波振動子の数によりミストの発生量を制御することができる。
【００２２】
請求項６の構成によれば、殺菌手段により空気流路を通る空気を殺菌することができると共に、殺菌手段に対向する加湿フィルタも殺菌することができる。
【００２３】
請求項７の構成によれば、集塵フィルタにより空気流路の空気から塵埃を除去し、塵埃を除去した空気を加湿フィルタに当てることにより、加湿フィルタへの塵埃の付着を防止できる。
【００２４】
請求項８の構成によれば、排気口内の左右方向中央に配置した左右方向に長いノズルの吹出口からミストを吹き出し、その周囲の排気口から加湿空気を排気することにより、加湿空気に乗ってミストを遠くまで飛ばすことができ、この際、ノズルは、前記空気流路の上面部に沿うノズルの上板部に比べて、下板部の角度が大きいから、ノズルの吹出口から吹き出したミストは、排気口の空気流路の上面部側から排気された加湿空気より上側に吹き出されるため、加湿空気より重いミストを効率よく遠くに飛ばすことができる。また、吹出口の左右方向の長さが排気口の左右方向の長さの０．４５倍を超えると、吹出口から吹き出すミストが左右に拡散して視覚効果が下がり、逆に、吹出口の左右方向の長さが排気口の左右方向の長さの０．２倍未満であると、排気口から部分的にしかミストが吹き出していない印象を与え、加湿中であるという視覚効果が低下するため、吹出口の左右方向の長さを排気口の左右方向の長さの０．２〜０．４５倍としている。
【図面の簡単な説明】
【００２５】
【図１】本考案の実施例１を示す縦断面図である。
【図２】同上、開閉扉を取り外した状態の正面図である。
【図３】同上、正面図である。
【図４】同上、要部の縦断面図である。
【図５】同上、要部の平面図である。
【考案を実施するための形態】
【００２６】
本考案における好適な実施の形態について、添付図面を参照しながら詳細に説明する。尚、以下に説明する実施の形態は、実用新案登録請求の範囲に記載された本考案の内容を限定するものではない。また、以下に説明される構成の全てが、本考案の必須要件であるとは限らない。
【実施例１】
【００２７】
以下、本考案の実施例を添付図面を参照して説明する。図１〜図６は本考案の実施例１を示す。１は全体として本実施形態による空気清浄器を示し、この空気清浄器１は、縦長の箱状に形成されたケースである本体２を有し、この本体２の前面には、片開き式の上部開閉扉３と下部開閉扉４が設けられ、この例では開閉扉３，４の右側に開閉中心となるヒンジ部３Ｈ，４Ｈが設けられている。また、その上部開閉扉３の上部には、本体２の前面上部５が位置し、この前面上部５の上方に、斜め上後向きの傾斜上板部６が形成され、この傾斜上板部６の上端から後方に向かって水平方向の上面後部７が形成されている。尚、本体２の下部には、移動手段たる複数のキャスタ９が設けられている。
【００２８】
前記上部開閉扉３の後方には、前記本体２内に収納空間１１が形成され、この収納空間１１には、後述する水用タンク及びミスト用タンクが着脱可能に収納される。前記収納空間１１の底部には底板部１２が設けられ、この底板部１２の後端から上方に向かって縦仕切り板部１３が設けられ、この縦仕切り板部１３は本体２内を前後に仕切り、その縦仕切り板部１３の上部と前記傾斜上板部６の下面との間に傾斜仕切り板部１４が設けられている。また、この傾斜仕切り板部１４の上面と間隔を置いて、上方に傾斜仕切り上面部１５が形成され、この傾斜仕切り上面部１５は、その下端を前記本体２の後面部８の内面に連結し、その上端を前記傾斜上板部６の下面に連結している。
【００２９】
そして、前記縦仕切り板部１３と本体２の後面部８との間に縦方向の縦通路１６が形成され、前記傾斜仕切り上面部１５と傾斜仕切り板部１４の間に傾斜通路１７が形成され、この傾斜通路１７の上端に後述する排気口が形成されている。
【００３０】
前記下部開閉扉４には、略長方形形状の吸気口２１が形成されている。尚、図３に示すように、吸気口２１は下部開閉扉４の前面に穿設した複数の小孔により構成されている。また、前記傾斜上板部６には横長の排気口２２が形成されている。そして、前記吸気口２１から、本体２の下部空間２３と、前記縦通路１６と、前記傾斜通路１７とを通って前記排気口２２に至る空気流路２４が、前記本体２内に形成されている。また、図２に示すように、空気流路２４の左右は側板部２７，２７により閉塞されている。
【００３１】
前記吸気口２１の後部には、集塵フィルタたるＨＥＰＡフィルタ２５が設けられ、このＨＥＰＡフィルタ２５は、例えば空気中に含まれる約０．３μｍ以上の塵埃を約９９．７パーセント以上除去し得るものである。尚、ＨＥＰＡフィルタ２５は吸気口２１の後面側に着脱可能に設けられている。
【００３２】
前記下部空間２３の左右方向一側である左側寄りには、送風手段たる送風ファン２６が収納されている。この送風ファン２６は、その左右の両面開口２６Ａ，２６Ａから空気を吸い込み、この吸い込んだ空気を送風口２６Ｂから上方に向かって前記縦通路１６に吹き出すものである。尚、送風ファン２６内は、空気流路２４の一部を構成する。
【００３３】
前記縦通路１６内には加湿フィルタ３１が略縦向きに配置され、この加湿フィルタ３１は、本体２の後面部８に設けた開閉扉（図示せず）を開いて交換可能に設けられている。また、加湿フィルタ３１の上側が後になるよう斜めに配置され、垂直に対して２０度〜５０度、好ましくは３５度程度斜めに配置されている。前記加湿フィルタ３１は、下部を水溜め部たる水受け容器３２に挿入して内部の水に含浸し、その水受け容器３２は前記底板部１２の下面に固定されている。そして、前記加湿フィルタ３１と水受け容器３２により加湿手段３０を構成している。また、加湿フィルタ３１の上面は、前側に向かって高くなる斜め横仕切板３３に当接又は近接し、この横仕切板３３は本体２の後面部８に固定され、その斜め横仕切板３３の前縁と前記縦仕切り板部１３との間には、間隔が設けられている。また、斜め横仕切板３３の上端から後面部８に向かって斜め案内板３６が設けられ、この斜め案内板３６と前記縦仕切り板部１３との間隔は、上方に向かって拡大する。即ち、前記斜め案内板３６と前記縦仕切り板部１３との間で、前記縦通路１６が上方に向かって拡大する。また、斜め横仕切板３３と斜め案内板３６との前端連結箇所には、斜め前下向きの押え部３７が突設され、この押え部３７が加湿フィルタ３１の前面上部に位置し、これにより加湿フィルタ３１の前側への移動が規制されている。
【００３４】
そして、送風ファン２６から吹出した空気は、斜め横仕切板３３により縦通路１６の後側から加湿フィルタ３１を通って又は／及び加湿フィルタ３１の近くを通って、縦通路１６の前側から上方に送られる。この際、送られた空気は、加湿フィルタ３１に含まれた水により加湿されて加湿空気となり、前記排気口２２から排気される。
【００３５】
また、前記本体２の後面部８の内面には、前記加湿フィルタ３１の後側に対向して殺菌手段である石英ランプ３５が横設されている。この石英ランプ３５は、石英ガラス管の両端に電極コイルが対向するようにして封止されており、この両電極コイルに通電することにより交流電圧が印加され、これによりオゾンを発生すると共に、紫外線を照射し、空気及び加湿フィルタ３１を殺菌及び消臭する。
【００３６】
図２に示すように、前記収納空間１１には、３つの水タンク４１，４１，４１と、この水タンク４１と同一構成の１つのミスト用タンク４１Ａが着脱可能に設けられている。タンク４１，４１Ａは調整弁（図示せず）を備えたキャップ４２を有し、キャップ４２を外して内部に液体を入れ、キャップ４２を閉めて使用される。尚、水タンク４１には、液体として水を入れる。前記底板部１２には、タンク４１，４１，４１，４１Ａに対応して、４つの接続部４３，４３，４３，４３が開口し、タンク４１，４１Ａを逆さにした状態で、キャップ４２を接続部４３に接続することにより、タンク４１，４１Ａの内部の液体が流化する。そして、左側３個の接続部４３，４３，４３の下部に前記水受け容器３２が配置され、水タンク４１，４１，４１内の水が水受け容器３２に供給される。この場合、水受け容器３２には開閉子４４が設けられ、キャップ４２を接続部４３に接続すると、開閉子４４によりキャップ４２が開き、水受け容器３２が略一定水位に保たれる。尚、ミスト用タンク４１Ａには、ミストとなるミスト用液体、例えば、殺菌液、二酸化塩素、芳香剤等の消臭液等の液体Ｅが入れられる。また、これら以外にも液体Ｅとして水をミスト用タンク４１Ａに入れてもよい。
【００３７】
次に、ミスト供給手段５０の構成について説明する。図５に示すように、前記ミスト用タンク４１Ａを接続する接続部４３の下部には、受けタンク５１を設け、この受けタンク５１は前記底板部１２の下部に取り付けられ、前記水受け容器３２より浅く形成されている。また、受けタンク５１には開閉子４４が設けられ、キャップ４２を接続部４３に接続すると、開閉子４４によりキャップ４２が開き、ミスト用タンク４１Ａ内から受けタンク５１内にミスト用液体Ｅが供給され、ミスト用タンク４１Ａが略一定水位に保たれる。また、図５に示すように、前記受けタンク５１の後部側の底部に超音波振動子５２，５２，５２を配置し、これら超音波振動子５２，５２，５２は周方向等間隔に配置されている。さらに、前記超音波振動子５２，５２，５２の上方に、下面が開口した角型の受け筒体５３を設け、この受け筒体５３の上端に、円筒状の接続筒部５３Ａを突設し、この接続筒部５３Ａにフレキシブルチューブ５４の下端を接続し、このチューブ５４の上端をノズル５５に接続している。尚、ノズル５５は金属などの硬質材料からなる。
【００３８】
また、この例では、複数（３個）の超音波振動子５２，５２，５２を配置し、図示しないスイッチにより、駆動する超音波振動子５２，５２，５２の数を設定変更できるようになっており、駆動する数によりミストの発生量を調整することができる。一例としては、スイッチにより、３個のうち１個の超音波振動子５２が駆動したり、全ての超音波振動子５２，５２，５２が駆動したりするように切り替えることができる。
【００３９】
前記受け筒体５３の前側下部５３Ｋは、受けタンク５１と僅かな隙間５６を置いて液体に没し、その受け筒体５３の後側にミスト送風ファン５７を接続している。従って、受けタンク５１内の液体が、前記隙間５６から受けタンク５１の下部内に供給され、受けタンク５１の下方に位置する超音波振動子５２が振動することにより、受け筒体５３内に液体Ｅのミストが発生し、これに対してミスト送風ファン５７が駆動することにより、ミストが前記ノズル５５から噴射される。そして、前記受け筒体５３及びチューブ５４により、ミストが流れるミスト流路５８を構成している。
【００４０】
前記ノズル５５は、上板部５５Ａと下板部５５Ｂと左右の側板部５５Ｃ，５５Ｃとの間の先端に、略長方形形状の吹出口５５Ｆを有し、上板部５５Ａと下板部５５Ｂの間隔は、先端に向かって狭くなるように形成され、左右の側板部５５Ｃ，５５Ｃは略平行に配置されている。
【００４１】
図２及び図４などに示すように、ノズル５５の吹出口５５Ｆは排気口２２内に配置されている。また、排気口２２は左右方向に長く形成され、前記ノズル５５は左右方向に長く形成されると共に、排気口２２より短く形成され、ノズル５５の吹出口５５Ｆの長さは排気口２２の長さの１／３程度であり、排気口２２の長さ方向の中央に前記ノズル５５が位置する。この場合、吹出口５５Ｆの左右方向の長さが排気口２２の左右方向の長さの０．４５倍を超えると、吹出口５５Ｆから吹き出すミストが左右に拡散して視覚効果が下がり、逆に、吹出口５５Ｆの左右方向の長さが排気口２２の左右方向の長さの０．２倍未満であると、排気口２２から部分的にしかミストが吹き出していない印象を与え、加湿中であるという視覚効果が低下するため、吹出口５５Ｆの左右方向の長さを排気口２２の左右方向の長さの０．２〜０．４５倍とすることが好ましい。また、前記左右方向に交差する幅方向である上下方向において前記ノズル５５は前記排気口２２より狭く形成され、ノズル５５の吹出口５５Ｆの幅は排気口２２の幅の１／４程度の幅であり、前記排気口２２の上側に前記ノズル５５が配置されている。
【００４２】
前記排気口２２に連続する前記傾斜仕切り上面部１５の先端上面部１５Ａは、前後一側である前側に向かって斜め上向きに設けられている。尚、先端上面部１５Ａが空気流路２４の上面部である。図４に示すように、ノズル５５の上板部５５Ａは前記先端上面部１５Ａに沿って設けられ、角度が同じであり、これによりノズル５５の下板部５５Ｂの水平に対する角度は、前記先端上面部１５Ａの水平に対する角度より大きくなる。
【００４３】
図２に示すように、下部空間２３の前側上部には湿度設定手段６２が設けられ、また、下部空間２３に湿度センサ６１が設けられ、これら湿度センサ６１と湿度設定手段６２は図示しない制御手段に電気的に接続されている。その湿度設定手段６２としてはダイヤル式スイッチ等が例示され、スイッチの位置により設定湿度を設定し、制御手段は湿度センサ６１により検出した湿度と設定湿度とを比較して、設定湿度になるように空気清浄器１を駆動制御する。一例としては、設定湿度を超えたら、送風ファン２６を停止又は出力を下げるように駆動制御し、設定湿度以下になったら、送風ファン２６を駆動又は出力を上げるように駆動制御する。
【００４４】
図３に示すように、傾斜上板部６の左側上部には、操作部６３が設けられ、この操作部６３には、左から空気清浄器１のオン・オフを切り替えるメインスイッチ６４と、石英ランプ３５のオン・オフを切り替える殺菌用スイッチ６５と、超音波振動子５２のオン・オフを切り替えるミスト用スイッチ６６と、送風ファン２６の駆動出力を大小に切り替える送風出力切替えスイッチ６７とが配置されている。これらスイッチ６４，６５，６６，６７は、前記制御手段に電気的に接続されている。
【００４５】
そして、操作部６３を操作して前記制御手段の制御により、送風ファン２６と石英ランプ３５を駆動すると、外の空気がＨＥＰＡフィルタ２５を通過することにより、塵埃が除去され、この塵埃が除去された空気が石英ランプ３５により殺菌・脱臭され、その空気が加湿フィルタ３１を通過することにより、加湿空気となり、排気口２２から排気される。また、操作部６３を操作して制御手段の制御により、超音波振動子５２とミスト送風ファン５７を駆動してノズル５５から液体Ｅのミストを噴射する。こうすると、前記加湿空気が透明であるのに対して、加湿空気が吹き出す排気口２２の中央から液体Ｅのミストが噴霧されるため、あたかも排気口２２の広い範囲からミストが噴射されるように視認され、空気清浄器１が加湿駆動していることを視覚によりアピールすることができる。
【００４６】
また、ノズル５５から噴霧したミストは、送風ファン２６により噴出した加湿空気に直接的に巻き込まれるから、遠くまで噴霧される。
【００４７】
さらに、加湿フィルタ３１の手前でオゾンにより殺菌された空気は、加湿フィルタ３１を通過することにより、含まれる水分により濃度が低下し、その後、空気流路２４を流れて排気口２２に至るまでの間にオゾン濃度が低下するため、排気口２２から吹き出す加湿空気はほとんどオゾンの臭いのしないものとなる。また、加湿フィルタ３１は対向する石英ランプ３５の発する紫外線により殺菌される。
【００４８】
このように本実施例では、請求項１に対応して、空気を清浄化する空気調和器たる空気清浄器１において、空気を取り入れる吸気口２１と、空気を排気する排気口２２と、吸気口２１から排気口２２にかけて空気清浄器１の本体２の内部に形成された空気流路２４と、空気流路２４を流れる空気を加湿する加湿手段３０と、液体Ｅを貯蔵可能に設けられた液体タンクたる受けタンク５１と、液体Ｅからミストを発生させ、目視可能なミストを外部に吹き出すミスト供給手段５０とを備え、排気口２２からミストを外部に吹き出すから、加湿フィルタ３１により加湿された加湿空気が排気口２２から排気され、この加湿空気が視認できなくても、同時に排気口２２からミストを吹き出すことにより、ミストがあたかも水蒸気のように確認され、加湿中であることを視覚的に知らせることができる。
【００４９】
このように本実施例では、請求項２に対応して、排気口２２内に、ミストを外部に吹き出すノズル５５の吹出口５５Ｆを設けたから、排気口２２からミストを吹き出すことが視認される。
【００５０】
このように本実施例では、請求項３に対応して、本体２内に、吸気口２１からを取り入れた空気を排気口２２から排気する送風手段たる送風ファン２６を設け、加湿手段３０は、水を溜める水溜め部たる水受け容器３２と、この水受け容器３２内の水が供給され、空気流路２４の途中に設けた加湿フィルタ３１とを備えるから、送風ファン２６により吸気口２１から取り込んだ空気が空気流路２４を流れ、この空気流路２４の途中に設けた加湿フィルタ３１に空気が当たることにより、加湿空気が形成される。このため加熱することなく加湿空気を得ることができ、その加湿空気は霧状には視認されないが、排気口２２からミストが吹き出し、加湿中であることを視覚的にアピールすることができる。
【００５１】
このように本実施例では、請求項４に対応して、ミスト供給手段５０は、液体Ｅをミストにする超音波振動子５２と、超音波振動子５２により発生したミストが流れるミスト流路５８を備え、このミスト流路５８をノズル５５に接続すると共に、ミスト流路５８が空気流路２４とは別個に設けられているから、加湿のために液体Ｅを加熱する必要がなく、超音波振動子５２によりミストを発生させることができ、しかも、空気流路２４と別個のミスト流路５８を通ってノズル５５からミストを吹き出すため、途中で加湿空気と混ざって薄まることなく、視認性に優れたミストとして吹き出すことができる。
【００５２】
このように本実施例では、請求項５に対応して、ミスト供給手段５０は複数の超音波振動子５２，５２，５２を備え、これら複数の超音波振動子５２，５２，５２が選択的に駆動可能であるから、超音波振動子５２によりミストを発生させることができ、しかも、駆動する超音波振動子５２の数によりミストの発生量を制御することができる。
【００５３】
このように本実施例では、請求項６に対応して、加湿フィルタ３１の空気流路２４の上流で該加湿フィルタ３１に対向してオゾンを発生する殺菌手段たる石英ランプ３５を設けたから、石英ランプ３５により空気流路２４を通る空気を殺菌することができると共に、石英ランプ３５に対向する加湿フィルタ３１も殺菌することができる。
【００５４】
このように本実施例では、請求項７に対応して、吸気口２１側に集塵フィルタたるＨＥＰＡフィルタ２５を設け、このＨＥＰＡフィルタ２５と加湿フィルタ３１の間の空気流路２４に送風手段たる送風ファン２６を配置したから、ＨＥＰＡフィルタ２５により空気流路２４の空気から塵埃を除去し、塵埃を除去した空気を加湿フィルタ３１に当てることにより、加湿フィルタ３１への塵埃の付着を防止できる。
【００５５】
このように本実施例では、請求項８に対応して、本体２の外面たる傾斜上板部６に排気口２２を開口して形成し、排気口２２は左右方向が幅方向より長く形成され、ノズル５５の吹出口５５Ｆは、前記左右方向が幅方向より長く形成されると共に、排気口２２の前記左右方向の長さの０．２〜０．４５倍の長さを有し、ノズル５５の吹出口５５Ｆは排気口２２より幅狭に形成され、排気口２２内の左右方向中央にノズル５５の吹出口５５Ｆが設けられ、ノズル５５は上板部５５Ａと下板部５５Ｂと左右の側板部５５Ｃ，５５Ｃとの間に吹出口５５Ｆを有し、排気口２２の上流で傾斜上板部６に連続する空気流路２４の上面部たる先端上面部１５Ａは、排気口２２に向かって斜め上向きに設けられ、空気流路２４の先端上面部１５Ａに沿ってノズル５５の上板部５５Ａを配置し、ノズル５５の下板部５５Ｂの水平に対する角度がノズル５５の上板部５５Ａの水平に対する角度より大きいから、排気口２２内の左右方向中央に配置した左右方向に長いノズル５５の吹出口５５Ｆからミストを吹き出し、その周囲の排気口２２から加湿空気を排気することにより、加湿空気に乗ってミストを遠くまで飛ばすことができ、この際、ノズル５５は、空気流路２４の先端上面部１５Ａに沿うノズル５５の上板部５５Ａに比べて、下板部５５Ｂの角度が大きいから、ノズル５５の吹出口５５Ｆから吹き出したミストは、排気口２２の空気流路２４の先端上面部１５Ａ側から排気された加湿空気より上側に吹き出されるため、加湿空気より重いミストを効率よく遠くに飛ばすことができる。また、吹出口５５Ｆの左右方向の長さが排気口２２の左右方向の長さの０．４５倍を超えると、吹出口５５Ｆから吹き出すミストが左右に拡散して視覚効果が下がり、逆に、吹出口５５Ｆの左右方向の長さが排気口２２の左右方向の長さの０．２倍未満であると、排気口２２から部分的にしかミストが吹き出していない印象を与え、加湿中であるという視覚効果が低下するため、吹出口５５Ｆの左右方向の長さを排気口２２の左右方向の長さの０．２〜０．４５倍としている。
【００５６】
尚、本考案は、本実施例に限定されるものではなく、本考案の要旨の範囲内で種々の変形実施が可能である。例えば、集塵フィルタは、ＨＥＰＡフィルタに代えて、約50μｍから0.01μｍまでの塵埃を帯電フィルタ（図示せず）に吸着させて集塵可能な高圧電気集塵ユニットとしてもよく、本体の内部で空気の集塵を行うフィルタの構造はこれらに限定されるものではない。また、実施例では、超音波振動子を用いてミストを発生させたが、請求項１及び２では、加熱方式により視認可能なミストである水蒸気を発生させてもよい。さらに、超音波振動子は請求項１〜４では１個でもよい。
【符号の説明】
【００５７】
１  空気清浄器
２  本体
６  傾斜上板部（外面）
１５Ａ  先端上面部（上面部）
２１  吸気口
２２  排気口
２４  空気流路
２５  ＨＥＰＡフィルタ（集塵フィルタ）
２６  送風ファン（送風手段）
３０  加湿手段
３１  加湿フィルタ
３２  水受け容器（水溜め部）
３５  石英ランプ（殺菌手段）
５０  ミスト供給手段
５１  受けタンク（液体タンク）
５２  超音波振動子
５３  受け筒体
５５  ノズル
５５Ａ  上板部
５５Ｂ  下板部
５５Ｃ  側板部
５５Ｆ  吹出口
５６  隙間
５８  ミスト流路
Ｅ  液体
【図１】
0003214558.tif 000003
【図２】
0003214558.tif 000004
【図３】
0003214558.tif 000005
【図４】
0003214558.tif 000006
【図５】
0003214558.tif 000007